(57)【要約】【課題】収納物の出し入れ容易で、立て並べ整理に適する、柔軟な収納力のある複ひだ袋に関する。【解決手段】側部の複数縦ひだと、当該ひだに直交する底辺を有して連なる複数の三角形折線で当該側部を折り曲げて作る側部延長底部の複数ひだと、当該屈曲部及び底部ひだに嵌合する、袋面延長底部の複数ひだを構成要素とすることにより、複数の伸縮する浅いひだが収納物の量と形状への対応力に優れ、袋の腰が強くて立て並べやすく、底部が緊密に嵌合された重層ひだ構造になって強度と形状保持性に優れた複ひだ袋を提案する。【選択図】  図１
2005029203.tif 000002
【特許請求の範囲】
【請求項１】
側底部ひだ袋において、側部の複数縦ひだと、当該ひだに直交する底辺を有して連なる複数の三角形折線で当該側部を折り曲げて作る側部延長底部の複数ひだと、当該屈曲部及び底部ひだに嵌合する、袋面延長底部の複数ひだを構成要素とする、複ひだ袋。
【発明の詳細な説明】
【０００１】
【発明の属する技術分野】
本発明は、収納、整理等に用いる袋に関する。
【０００２】
【従来の技術】
厚みと広がりある物品の収納、整理袋には通常、方形シートを重ね縦横辺を封止した袋で、側部に単一ひだを入れ、空袋時には底部を曲げて袋面に重ねる型が多い。この単一ひだ袋は、折りひだが内部に大きく出て、物品を出し入れし難く、底部の折目に物品が残りやすく、収納に融通性が乏しく、充填半ばでは多様に膨らんですわりが悪く、出っ張る底外部は引っ掛かりやすい。例えば、マチ付き封筒（実登３０５４０３８、実開昭６０−１８４８４７、特開２００１−３０１７６１）、底マチ付き封筒（実開平０１−１４１２３０）、ひだ付き紙袋（特開２０００−３５５３３３）等が公知だが、いずれも単一ひだ袋であって収納容量巾の狭い利用に限られ、従って、立て並べ整理に適して柔軟な収納力のある袋は知られていない。
【０００３】
【発明が解決しようとする課題】
本発明は、上の不都合を解決する、収納物の出し入れ容易で、立て並べ整理に適する、柔軟な収納力のある複ひだ袋に関する。
【０００４】
【課題を解決するための手段】
上記目的を達成するために、側底部ひだ袋において、側部の複数縦ひだと、当該ひだに直交する底辺を有して連なる複数の三角形折線で当該側部を折り曲げて作る側部延長底部の複数ひだと、当該屈曲部及び底部ひだに嵌合する、袋面延長底部の複数ひだを構成要素とすることにより、複数の伸縮する浅いひだが収納物の量と形状への対応力に優れ、袋の腰が強くなり立て並べやすく、底部が緊密に嵌合された重層ひだ構造になって強度と形状保持性に優れた複ひだ袋を提案する。
【０００５】
本発明の複ひだ袋は、複数の伸縮する浅いひだと、緊密に嵌合された重層ひだ底を特徴とする。嵌合された重層ひだ底化により、屈曲部の製作が容易になり、袋面延長底部は糊付けしなくてもめくれず、素材の無駄を出さない。製作上乃至取扱い管理上からも、軽くて強靭な方形の紙袋素材、例えばクラフト紙が重用されるが、台形乃至上下異形の各種袋素材も使用できる。周囲どの位置でも糊代部を設けることができるが、側部端にすると、底形成部の最端部と同様に紙厚みを考慮して小幅にすることと併せて、すっきりした側部と底部折り込みを可能にする。ひだ数が多過ぎて畳み難くならないようなひだ幅でひだ数を増やす、異幅の複数側底部ひだで構成する、テープ等で補強する、上縁に蓋乃至折り返しや封緘構造を設ける、持ち手を付ける等、紙袋厚みを含めた寸法等も、目的に応じて総合的に選定できる。
【０００６】
本発明の複ひだ袋の製作方法は、複ひだに折る手間が増えるが、たとえば紙素材の場合、方形紙に予め折線をつけ、或いは型押し等して、折り癖をつけておくことで容易になる。その上で側部延長底部の両側に切り込みを入れ、当該側部を連なる複数の下向き三角形の底辺折線で折り曲げて作る側部延長底部の上に、面延長底部を重ねてから、側部ひだを底部ひだと共折りすることで、嵌合も容易になる。上向き三角形の底辺折線で折ると、側部延長底部のひだが側部に突出する。側部延長底部を袋内表に出すと、製作は容易になるが、用紙の型取りと底手当てで不利になることがある。望ましくは、側部延長底部一対を面延長底部一対の間に挟んでひだ折りする。こうすると、一方の面延長底部ひだの両端の折り込み部を側部屈曲部に強固に嵌合するので、他方の面延長底部まで屈曲部に嵌合する必要はない。必ずしも糊を用いずに嵌合したのち、面糊代を側部ひだに折り重ねて糊付けし、他方の面延長底部ひだを底部ひだに折り重ねて、少なくとも端ひだ部を糊付けする。底部及びその両端が分厚くなることを避けて、あるいは製作の便宜上、一部を切除することもできる。
【０００７】
本発明の複ひだ袋の形状とサイズ及び材質は、上記の特徴を満たして目的に応じて選択できるが、通常紙のほか、ラミネート紙やＰＥ，ＰＰ等ポリオレフィン類のプラスチックフィルム乃至シート、あるいは多孔シート、網状シート等からも製作できる。折線を付けて手折りにより、または部分乃至全体の型押し加工、両面テープやヒートシール等により糊付け製作できる。
【０００８】
【発明の実施の形態】
発明の実施の形態について図面を参照して説明する。
図１において、縦３４ｃｍ横４４ｃｍのクラフト紙に左端から側部ひだ（１）用に１．６ｃｍ幅の縦折線４本をつけ、前面（２）用に１５ｃｍ空けて、さらに側部ひだ（３）用に１．６ｃｍ幅の縦折線５本、後面（４）用に１５ｃｍ空けて、右端から１．２ｃｍに糊代（５）用縦折線をつける。下端から６ｃｍに底部用の横折線をつけ、側部延長底部ひだ（１ａ）と前面延長底部ひだ（２ａ）の３境界に切り込み（６）を入れる。側部延長底部ひだ（１ａ，３ａ）の屈曲部用に下向き三角形の折線（１ｂ，３ｂ）をつけ、前面延長底部ひだ（２ａ）の両端には嵌合三角形折線（２ｂ）をつける。後面（４）と糊代（５）にも延長底部ひだ（４ａ）と折畳み線（４ｂ）をつけ両端を折り畳む。ひだ用には、下端から１．２ｃｍ幅の折線とその上に各１．６ｃｍ幅の折線２本をつける。各折線を山折り（実線）谷折り（点線）して折り癖をつけたうえで、各二つの下向き三角形の底辺折線で直角に折り曲げて作る側部延長底部（１ａ，３ａ）の上に、前面延長底部（２ａ）を重ねて、側部ひだを底部ひだと共折りして嵌合する。糊代（５）を側部ひだ（１）の端ひだに糊付けし、後面延長底部ひだ（４ａ）を側部延長底部ひだ（１ａ，３ａ）に重ねて、端ひだを糊付けする。
【０００９】
【発明の効果】
本発明は、上述のとおり構成されているので、収納物の出し入れ容易で、浅いひだに収納物が挟まり難いうえ、袋として腰が強く曲がり難いので立て並べやすい。底部が緊密に嵌合された重層構造になるため、強度と形状保持性に優れた袋となる。空袋も充填袋も均等性を有するので、整理して並べ、安定に積み重ねることができる。すなわち、棚並べ封筒、箱詰め袋、医薬品の調剤袋、漉し袋類など、立て並べ整理が好都合な、柔軟な収納力のある袋として、広範囲量の物品を収納しての整理、保管、使用に便利である。
【図面の簡単な説明】
【図１】本発明の複ひだ袋の、クラフト紙を用いる実施方法例を示す。Ａは袋外からの折線表示した展開図（実線：山折線、点線：谷折線、実太線：切線）、Ｂは複ひだ袋の一部透視の斜視概略図を示す。
【符号の説明】
１，３  側部ひだ
１ａ，３ａ  側部延長底部ひだ
１ｂ，３ｂ  下向き三角形折線
２  前面
２ａ  前面延長底部ひだ
２ｂ  前面延長底部嵌合三角形折線
４  後面
４ａ  後面延長底部ひだ
４ｂ  後面延長底部折畳み線
５  糊代
６  切り込み
【図１】
2005029203.tif 000003